(57)【要約】【課題】サイズを大きくすることなく操作性を高めることができる。【解決手段】電子時計１００は、環状に配置された複数の表示体を表示可能な表示装置１０４と、操作入力を受け付ける複数の入力装置１０６と、方位を検出する方位検出装置１０９と、方位を表示する方位表示モードでは所定方位を表示体で示し、他のモードでは操作可能な入力装置１０６を表示体で示すＣＰＵ１０１とを備える。【選択図】図２
2015001401.tif 000002
【特許請求の範囲】
【請求項１】
環状に配置された複数の表示体を表示可能な表示部と、
操作入力を受け付ける複数の入力部と、
方位を検出する方位検出部と、
方位を表示する方位表示モードでは所定方位を前記表示体で示し、他のモードでは操作可能な前記入力部を前記表示体で示す表示制御部と、
を備えることを特徴とする電子時計。
【請求項２】
前記表示制御部は、操作可能な前記入力部を前記表示体で示すときに、当該入力部の機能を示す表示を前記表示部にする
ことを特徴とする請求項１に記載の電子時計。
【請求項３】
前記表示制御部は、前記方位表示モードでは、前記表示体で前記所定方位を示すとともに、操作可能な前記入力部を前記表示体で示す
ことを特徴とする請求項１または請求項２に記載の電子時計。
【請求項４】
前記表示制御部は、前記所定方位を示す前記表示体と操作可能な前記入力部を示す前記表示体とを異なる表示態様で表示する
ことを特徴とする請求項３に記載の電子時計。
【請求項５】
第１の表示体と当該第１の表示体の両隣にある表示体との距離に基づく範囲内に前記入力部がある前記第１の表示体を当該入力部に対応する表示体とし、
前記表示制御部は、操作可能な前記入力部に対応する表示体を表示することで、操作可能な前記入力部を示す
ことを特徴とする請求項１から請求項４のいずれか１項に記載の電子時計。
【発明の詳細な説明】
【技術分野】
【０００１】
本発明は、電子時計に関する。
【背景技術】
【０００２】
従来より、方位を検出し、検出した方位を表示する方位計付き電子時計がある。例えば、特許文献１には、指針表示式腕時計に磁気センサ装置と文字盤上に表示を行う表示装置を備え、時刻表示モード時は時間目盛を表示して指針で時間を指し示し、方位計モード時は方位目盛を表示して指針で方位を指し示す方位計付き電子時計が記載されている。また、特許文献２には、特定の方位が定められた機器ケースと方位検出手段と方位角記憶手段と方位角を表示する表示制御手段とを具備する電子コンパスが記載されている。
【０００３】
図８は、従来知られている方位計付き電子時計の表示例を示す概略図である。図示する方位計付き電子時計では、表示領域外周部に方位を視覚的に表すマークＭがリング状に配置されている。このように、従来知られている方位計付き電子時計は、方位を表示するモードでは所定方位に対応する方向にあるマークＭを表示することにより方位を示す（図８（ｂ）参照）。また、従来知られている方位計付き電子時計は、その他のモード（例えば、時刻表示やストップウォッチなど）では、マークを常に非表示にしている（図８（ａ），図８（ｃ），図８（ｄ）参照）。
【先行技術文献】
【特許文献】
【０００４】
【特許文献１】特許第４６１４９０１号公報
【特許文献２】特許第２９３５０４７号公報
【発明の概要】
【発明が解決しようとする課題】
【０００５】
しかしながら、電子時計は様々な機能を付加したものが開発され、多機能化しており、操作が複雑になっているが、電子時計特有の腕につけるという小型形態から、操作ボタンが少なく、どのボタンが有効でどのような機能が割り当てられているかが分かり難いという問題がある。
【０００６】
そこで、本発明は上述の事情を鑑みてなされたものであり、サイズを大きくすることなく操作性を高めることができる電子時計を提供することを目的とする。
【課題を解決するための手段】
【０００７】
本発明は、環状に配置された複数の表示体を表示可能な表示部と、操作入力を受け付ける複数の入力部と、方位を検出する方位検出部と、方位を表示する方位表示モードでは所定方位を前記表示体で示し、他のモードでは操作可能な前記入力部を前記表示体で示す表示制御部と、を備えることを特徴とする電子時計である。
【０００８】
また、本発明の電子時計において、前記表示制御部は、操作可能な前記入力部を前記表示体で示すときに、当該入力部の機能を示す表示を前記表示部にすることを特徴とする。
【０００９】
また、本発明の電子時計において、前記表示制御部は、前記方位表示モードでは、前記表示体で前記所定方位を示すとともに、操作可能な前記入力部を前記表示体で示すことを特徴とする。
【００１０】
また、本発明の電子時計において、前記表示制御部は、前記所定方位を示す前記表示体と操作可能な前記入力部を示す前記表示体とを異なる表示態様で表示することを特徴とする。
【００１１】
また、本発明の電子時計において、第１の表示体と当該第１の表示体の両隣にある表示体との距離に基づく範囲内に前記入力部がある前記第１の表示体を当該入力部に対応する表示体とし、前記表示制御部は、操作可能な前記入力部に対応する表示体を表示することで、操作可能な前記入力部を示すことを特徴とする。
【発明の効果】
【００１２】
本発明によれば、環状に配置された複数の表示体を表示可能であり、方位表示モードでは所定方位を表示体で示し、他のモードでは操作可能な入力部を表示体で示している。すなわち、方位表示モード以外のモードでは、方位を示すための表示体を用いて操作可能な入力部を示している。これにより、電子時計のサイズを大きくすることなく操作性を高めることができる。
【図面の簡単な説明】
【００１３】
【図１】本発明の実施形態における電子時計の外観構成を示す正面図である。
【図２】本実施形態における電子時計の構成を示すブロック図である。
【図３】本実施形態における表示装置が時刻表示モードにおいて表示する情報を示した概略図である。
【図４】本実施形態における表示装置が時刻を修正する際に表示する情報を示した概略図である。
【図５】本実施形態における表示装置が方位表示モードにおいて表示する情報を示した概略図である。
【図６】本実施形態における表示装置が計測モードにおいて表示する情報を示した概略図である。
【図７】本実施形態における電子時計が実行する表示処理の処理手順を示したフローチャートである。
【図８】従来知られている方位計付き電子時計の表示例を示す概略図である。
【発明を実施するための形態】
【００１４】
以下、本発明の実施形態について、図面を参照しながら説明する。なお、各図において同一部分には同一符号を付している。図１は、本実施形態における電子時計１００の外観構成を示す正面図である。電子時計１００は、方位計付き電子時計である。電子時計１００は、現在時刻を表示する時刻表示モードと、方位を表示する方位表示モードと、時間を計測する（ストップウォッチ機能を実行する）計測モードとの３種類の動作モードのいずれかで動作する。
【００１５】
電子時計１００は、時刻表示モードで動作する際には、現在の時刻を表示する。また、電子時計１００は、方位表示モードで動作する際には、所定方位（例えば、北）をマークＭで表示する。また、電子時計１００は、測定モードで動作する際には、時間を計測し、計測した時間を表示する。図示するように、電子時計１００は、複数（本実施形態では４つ）の入力装置１０６（入力部）と、表示装置１０４（表示部）とを備えている。
【００１６】
入力装置１０６は、例えばボタン（スイッチ）等であり、操作入力を受け付ける。以下、説明の便宜を図るため、４つの入力装置１０６のそれぞれに対しａからｄの符号を割り当て、入力装置１０６ａ、１０６ｂ、１０６ｃ、１０６ｄと記す。なお、各入力装置１０６ａ〜１０６ｄに共通する事項については、ａ〜ｄの符号を省略し、単に入力装置１０６又は各入力装置１０６と記す。
【００１７】
表示装置１０４の外側に接して配置された見切板もしくはカバーガラス内面印刷には、各入力装置１０６の機能が刻印されている。例えば、入力装置１０６ａ（ＡＤＪＵＳＴボタン）の近傍には「ＡＤＪＵＳＴ」が刻印されており、入力装置１０６ｂ（ＭＯＤＥボタン）の近傍には「ＭＯＤＥ」が刻印されており、入力装置１０６ｃ（ＲＥＳＥＴボタン）の近傍には「ＲＥＳＥＴ」が刻印されており、入力装置１０６ｄ（ＭＥＡＳＵＲＥボタン）の近傍には「ＭＥＡＳＵＲＥ」が刻印されている。
【００１８】
表示装置１０４は、液晶ディスプレイまたはセグメントディスプレイ等であり、情報を表示する。表示装置１０４は、その表示領域の外周部に沿って環状（リング状）に等間隔で配置された複数（本実施形態では１６個）のマークＭを表示可能である。マークＭは、方位を示すための表示体である。以下、説明の便宜を図るため、１６個のマークＭのそれぞれに対し１から１６の符号を割り当て、マークＭ1、マークＭ2、マークＭ3、マークＭ4、マークＭ5、マークＭ6、マークＭ7、マークＭ8、マークＭ9、マークＭ10、マークＭ11、マークＭ12、マークＭ13、マークＭ14、マークＭ15、マークＭ16と記す。なお、各マークＭ1〜Ｍ16に共通する事項については、1〜16の符号を省略し、単にマークＭ又は各マークＭと記す。
【００１９】
各入力装置１０６にはそれぞれ対応するマークＭが予め設定されている。例えば、入力装置１０６ａに対応するマークＭはマークＭ14であり、入力装置１０６ｂに対応するマークＭはマークＭ12であり、入力装置１０６ｃに対応するマークＭはＭ4であり、入力装置１０６ｄに対応するマークＭはＭ6である。各入力装置１０６に対応するマークＭは、各入力装置１０６から最も近い位置にあるマークＭである。
【００２０】
例えば、マークＭ4とマークＭ4の両隣にあるマークＭ3，Ｍ5との距離に基づく範囲Ｃ内に入力装置１０６ｃがある場合、マークＭ4を入力装置１０６ｃに対応するマークＭとする。範囲Ｃは、マークＭ4に関する範囲であり、表示装置１０４の中心Ｏと地点Ｘ１とを通る直線Ｌ１から中心Ｏと地点Ｘ２とを通る直線Ｌ２までの範囲である。地点Ｘ１は、マークＭ4とその左隣のマークＭ3との中央である。また、地点Ｘ２は、マークＭ4とその右隣のマークＭ5との中央である。
【００２１】
以下、マークＭ1が配置された方向を上とし、マークＭ9が配置された方向を下として電子時計１００の上下方向を定める。
【００２２】
図２は、本実施形態における電子時計１００の構成を示すブロック図である。図示する例では、電子時計１００は、ＣＰＵ（Ｃｅｎｔｒａｌ  Ｐｒｏｃｅｓｓｉｎｇ  Ｕｎｉｔ）１０１（表示制御部）と、ＲＯＭ（Ｒｅａｄ  Ｏｎｌｙ  Ｍｅｍｏｒｙ、読み出し専用メモリ）１０２と、ＲＡＭ（Ｒａｎｄｏｍ  Ａｃｃｅｓｓ  Ｍｅｍｏｒｙ、ランダムアクセスメモリ）１０３と、表示装置１０４と、報音装置１０５と、入力装置１０６と、発振素子１０７と、電源１０８と、方位検出装置１０９とを備える。
【００２３】
ＣＰＵ１０１は、電子時計１００が備える各部の制御を行う。例えば、ＣＰＵ１０１は、方位表示モードでは所定方位をマークＭで示し、他のモード（例えば、時刻表示モードまたは計測モード）では操作可能な入力装置１０６をマークＭで示す。ＣＰＵ１０１は、操作可能な入力装置１０６をマークＭで示すときに、当該入力装置１０６の機能を示す表示を表示したマークＭ近傍にする。また、ＣＰＵ１０１は、発振素子１０７から入力された発振信号に基づいて現在時刻を計時する。
【００２４】
ＲＯＭ１０２は、ＣＰＵ１０１が実行する動作用プログラムを予め記憶している。この動作用プログラムは、ＣＰＵ１０１の起動時に読み出される。ＲＡＭ１０３は、電子時計１００の各部が用いるデータを記憶する。表示装置１０４は、情報を表示する。報音装置１０５は、音声を出力する。入力装置１０６は、操作入力を受け付ける。
【００２５】
発振素子１０７は、所定周波数（例えば、３２７６８Ｈｚ）の発振信号を生成してＣＰＵ１０１へ出力する。電源１０８は、電子時計１００が備える各部に、動作するための電力を供給する。方位検出装置１０９は、方位を検出し、検出した方位に関する方位データをＣＰＵ１０１に出力する。例えば、方位検出装置１０９は、Ｘ方向の磁場の強さを検出するＸ方向磁気センサと、Ｘ方向に直交するＹ方向の磁場の強さを検出するＹ方向磁気センサとを備え、Ｘ方向磁気センサの磁場検出値とＹ方向磁気センサの磁場検出値から方位を求める。
【００２６】
次に、各動作モードにおいて表示装置１０４が表示する情報について説明する。図３は、本実施形態における表示装置１０４が時刻表示モードにおいて表示する情報を示した概略図である。図示するように、表示装置１０４は、時刻表示モードにおいて、現在の曜日「ＭＯＮ（月曜日）」と、現在の時刻「１０：０８：５９（１０時８分５９秒）」と、現在の日付「１２−２５（１２月２５日）」とを表示する。更に、表示装置１０４は、操作可能な入力装置１０６ａに対応するマークＭ14と、操作可能な入力装置１０６ｂに対応するマークＭ12とを表示する。
【００２７】
このように、操作可能な入力装置１０６に対応するマークＭを表示することにより、ユーザはどの入力装置１０６を操作可能であるかを知ることができる。ＣＰＵ１０１は、本図に示す状態において、入力装置１０６ａが入力を受け付けると、時刻を修正するための画面を表示装置１０４に表示する。また、ＣＰＵ１０１は、本図に示す状態において、入力装置１０６ｂが入力を受け付けると、動作モードを方位表示モードに切り替える。
【００２８】
図４は、本実施形態における表示装置１０４が時刻を修正する際に表示する情報を示した概略図である。表示装置１０４は、図３に示す状態において入力装置１０６ａが入力を受け付けると、本図に示す表示を行う。図示するように、表示装置１０４は、時刻を修正する際、現在修正している桁（時または分）「ＭＩＮ（分）」と、修正後の時刻「１０：０８：５９（１０時８分５９秒）」と、現在の日付「１２−２５（１２月２５日）」とを表示する。更に、表示装置１０４は、操作可能な入力装置１０６ｂに対応するマークＭ12と、操作可能な入力装置１０６ｃに対応するマークＭ4と、操作可能な入力装置１０６ｄに対応するマークＭ6とを表示する。
【００２９】
このとき、表示装置１０４は、マークＭを表示するとともに、対応する入力装置１０６の機能（操作ガイド）を示す表示をマークＭの近傍にする。例えば、マークＭ12の近傍に入力装置１０６ｂの機能を示す「ＳＥＬ」を表示し、マークＭ4の近傍に入力装置１０６ｃの機能を示す「ＲＥＶ」を表示し、マークＭ6の近傍に入力装置１０６ｃの機能を示す「ＦＷＤ」を表示する。このように、操作可能な入力装置１０６をマークＭで示すとともに、マークＭの近傍に入力装置１０６の機能を表示することにより、ユーザは操作可能な入力装置１０６の機能を知ることができる。
【００３０】
ＣＰＵ１０１は、図４に示す状態において、入力装置１０６ｂが入力を受け付けると、修正する桁（時または分）を切り替える。また、ＣＰＵ１０１は、図４に示す状態において、入力装置１０６ｃが入力を受け付けると、修正している桁の時間を戻す。また、ＣＰＵ１０１は、図４に示す状態において、入力装置１０６ｄが入力を受け付けると、修正している桁の時間を進める。
【００３１】
図５は、本実施形態における表示装置１０４が方位表示モードにおいて表示する情報を示した概略図である。図示するように、表示装置１０４は、方位表示モードにおいて、上方向（１２時方向）の方位「Ｗ（西）」と、所定方位（北）に対する上方向の角度「２７０°」と、現在の時刻「１０：０８（１０時８分）」とを表示する。更に、表示装置１０４は、所定方位（北）に対応する方向にあるマークＭ5を表示する。このように、所定方位（北）をマークＭで示すことにより、ユーザは直感的に北がどちらの方向であるかを知ることができる。ＣＰＵ１０１は、本図に示す状態において、入力装置１０６ｂが入力を受け付けると、動作モードを計測モードに切り替える。
【００３２】
図６は、本実施形態における表示装置１０４が計測モードにおいて表示する情報を示した概略図である。図６（ａ）は、時間の計測前或いは計測結果がリセットされたときの表示である。図示するように、表示装置１０４は、計測時間「０：００：００：００」を表示する。更に、表示装置１０４は、操作可能な入力装置１０６ｂに対応するマークＭ12と、操作可能な入力装置１０６ｄに対応するマークＭ6とを表示する。このとき、表示装置１０４は、マークＭを表示するとともに、対応する入力装置１０６の機能を示す表示をマークＭの近傍にする。
【００３３】
例えば、マークＭ6の近傍に入力装置１０６ｄの機能を示す「ＳＴＡＲＴ」を表示する。ＣＰＵ１０１は、本図に示す状態において、入力装置１０６ｄが入力を受け付けると、時間の計測を開始する。また、ＣＰＵ１０１は、本図に示す状態において、入力装置１０６ｂが入力を受け付けると、動作モードを時刻表示モードに切り替える。
【００３４】
図６（ｂ）は、時間の計測中における表示である。図示するように、表示装置１０４は、計測中の時間「００：３４：５９：９９」を表示する。更に、表示装置１０４は、操作可能な入力装置１０６ｂに対応するマークＭ12と、操作可能な入力装置１０６ｄに対応するマークＭ6とを表示する。このとき、表示装置１０４は、マークＭを表示するとともに、対応する入力装置１０６の機能を示す表示をマークＭの近傍にする。
【００３５】
例えば、マークＭ6の近傍に入力装置１０６ｄの機能を示す「ＳＴＯＰ」を表示する。ＣＰＵ１０１は、本図に示す状態において、入力装置１０６ｄが入力を受け付けると、時間の計測を停止する。また、ＣＰＵ１０１は、本図に示す状態において、入力装置１０６ｂが入力を受け付けると、動作モードを時刻表示モードに切り替える。
【００３６】
図６（ｃ）は、時間の計測後における表示である。図示するように、表示装置１０４は、計測した時間「００：３４：５９：９９」を表示する。更に、表示装置１０４は、操作可能な入力装置１０６ｂに対応するマークＭ12と、操作可能な入力装置１０６ｃに対応するマークＭ4と、操作可能な入力装置１０６ｄに対応するマークＭ6とを表示する。このとき、表示装置１０４は、マークＭを表示するとともに、対応する入力装置１０６の機能を示す表示をマークＭの近傍にする。
【００３７】
例えば、マークＭ6の近傍に入力装置１０６ｄの機能を示す「ＳＴＡＲＴ」を表示する。ＣＰＵ１０１は、本図に示す状態において、入力装置１０６ｄが入力を受け付けると、時間の計測を再開する。また、ＣＰＵ１０１は、本図に示す状態において、入力装置１０６ｃが入力を受け付けると、計測結果をリセットする。また、ＣＰＵ１０１は、本図に示す状態において、入力装置１０６ｂが入力を受け付けると、動作モードを時刻表示モードに切り替える。
【００３８】
次に、本実施形態における電子時計１００の表示処理について説明する。図７は、本実施形態における電子時計１００が実行する表示処理の処理手順を示したフローチャートである。電子時計１００は、起動時に図示する表示処理を実行する。
【００３９】
（ステップＳ１０１）ＣＰＵ１０１は、時刻表示モードで起動し、時刻表示モードにおける表示処理を実行する。具体的には、ＣＰＵ１０１は、図３に示すように、現在の曜日と、現在の時刻と、現在の日付とを表示装置１０４に表示する。更に、ＣＰＵ１０１は、操作可能な入力装置１０６ａに対応するマークＭ14と、操作可能な入力装置１０６ｂに対応するマークＭ12とを表示装置１０４に表示する。その後、ステップＳ１０２の処理に進む。
【００４０】
（ステップＳ１０２）ＣＰＵ１０１は、入力装置１０６ａが入力を受け付けたか（ＡＤＪＵＳＴボタンが押下されたか）否かを判定する。ＣＰＵ１０１は、入力装置１０６ａが入力を受け付けたと判定した場合には、ステップＳ１０３の処理に進む。一方、ＣＰＵ１０１は、入力装置１０６ａが入力を受け付けていないと判定した場合には、ステップＳ１０４の処理に進む。
【００４１】
（ステップＳ１０３）ＣＰＵ１０１は、図４に示す表示を表示装置１０４にして時刻の修正を受け付ける。具体的には、ＣＰＵ１０１は、現在修正している桁（時または分）と、修正後の時刻と、現在の日付とを表示装置１０４に表示する。更に、ＣＰＵ１０１は、操作可能な入力装置１０６ｂに対応するマークＭ12と、操作可能な入力装置１０６ｃに対応するマークＭ4と、操作可能な入力装置１０６ｄに対応するマークＭ6とを表示装置１０４に表示する。
【００４２】
このとき、ＣＰＵ１０１は、マークＭ12の近傍に入力装置１０６ｂの機能を示す「ＳＥＬ」を表示し、マークＭ4の近傍に入力装置１０６ｃの機能を示す「ＲＥＶ」を表示し、マークＭ6の近傍に入力装置１０６ｃの機能を示す「ＦＷＤ」を表示する。ＣＰＵ１０１は、入力装置１０６が受け付けた操作入力に応じて、時刻を修正する。その後、ステップＳ１０１の処理に戻る。
【００４３】
（ステップＳ１０４）ＣＰＵ１０１は、入力装置１０６ｂが入力を受け付けたか（ＭＯＤＥボタンが押下されたか）否かを判定する。ＣＰＵ１０１は、入力装置１０６ｂが入力を受け付けたと判定した場合には、ステップＳ１０５の処理に進む。一方、ＣＰＵ１０１は、入力装置１０６ｂが入力を受け付けていないと判定した場合には、ステップＳ１０２の処理に戻る。
【００４４】
（ステップＳ１０５）ＣＰＵ１０１は、動作モードを方位表示モードに切り替え、方位表示モードにおける表示処理を実行する。具体的には、ＣＰＵ１０１は、図５に示すように、上方向の方位と、所定方位（北）に対する上方向の角度と、現在の時刻とを表示装置１０４に表示する。更に、ＣＰＵ１０１は、所定方位（北）に対応する方向にあるマークＭを表示装置１０４に表示する。その後、ステップＳ１０６の処理に進む。
【００４５】
（ステップＳ１０６）ＣＰＵ１０１は、入力装置１０６ｂが入力を受け付けたか（ＭＯＤＥボタンが押下されたか）否かを判定する。ＣＰＵ１０１は、入力装置１０６ｂが入力を受け付けたと判定した場合には、ステップＳ１０７の処理に進む。一方、ＣＰＵ１０１は、入力装置１０６ｂが入力を受け付けていないと判定した場合には、ステップＳ１０６の処理に戻る。
【００４６】
（ステップＳ１０７）ＣＰＵ１０１は、動作モードを計測モードに切り替え、計測モードにおける表示処理を実行する。具体的には、ＣＰＵ１０１は、図６（ａ）に示すように、計測時間を表示装置１０４に表示する。更に、ＣＰＵ１０１は、操作可能な入力装置１０６ｂに対応するマークＭ12と、操作可能な入力装置１０６ｄに対応するマークＭ6とを表示する。このとき、ＣＰＵ１０１は、マークＭ6の近傍に入力装置１０６ｄの機能を示す「ＳＴＡＲＴ」を表示する。その後、ステップＳ１０８の処理に進む。
【００４７】
（ステップＳ１０８）ＣＰＵ１０１は、入力装置１０６ｂが入力を受け付けたか（ＭＯＤＥボタンが押下されたか）否かを判定する。ＣＰＵ１０１は、入力装置１０６ｂが入力を受け付けたと判定した場合には、ステップＳ１０１の処理に戻る。一方、ＣＰＵ１０１は、入力装置１０６ｂが入力を受け付けていないと判定した場合には、ステップＳ１０９の処理に進む。
【００４８】
（ステップＳ１０９）ＣＰＵ１０１は、入力装置１０６ｄが入力を受け付けたか（ＭＥＡＳＵＲＥボタンが押下されたか）否かを判定する。ＣＰＵ１０１は、入力装置１０６ｄが入力を受け付けたと判定した場合には、ステップＳ１１０の処理に進む。一方、ＣＰＵ１０１は、入力装置１０６ｄが入力を受け付けていないと判定した場合には、ステップＳ１０８の処理に戻る。
【００４９】
（ステップＳ１１０）ＣＰＵ１０１は、時間の計測を開始する。このとき、ＣＰＵ１０１は、図６（ｂ）に示すように、計測中の時間を表示装置１０４に表示する。更に、ＣＰＵ１０１は、操作可能な入力装置１０６ｂに対応するマークＭ12と、操作可能な入力装置１０６ｄに対応するマークＭ6とを表示装置１０４に表示する。このとき、ＣＰＵ１０１は、マークＭ6の近傍に入力装置１０６ｄの機能を示す「ＳＴＯＰ」を表示する。その後、ステップＳ１１１の処理に進む。
【００５０】
（ステップＳ１１１）ＣＰＵ１０１は、入力装置１０６ｂが入力を受け付けたか（ＭＯＤＥボタンが押下されたか）否かを判定する。ＣＰＵ１０１は、入力装置１０６ｂが入力を受け付けたと判定した場合には、ステップＳ１０１の処理に戻る。一方、ＣＰＵ１０１は、入力装置１０６ｂが入力を受け付けていないと判定した場合には、ステップＳ１１２の処理に進む。
【００５１】
（ステップＳ１１２）ＣＰＵ１０１は、入力装置１０６ｄが入力を受け付けたか（ＭＥＡＳＵＲＥボタンが押下されたか）否かを判定する。ＣＰＵ１０１は、入力装置１０６ｄが入力を受け付けたと判定した場合には、ステップＳ１１３の処理に進む。一方、ＣＰＵ１０１は、入力装置１０６ｄが入力を受け付けていないと判定した場合には、ステップＳ１１１の処理に戻る。
【００５２】
（ステップＳ１１３）ＣＰＵ１０１は、時間の計測を停止する。このとき、ＣＰＵ１０１は、図６（ｃ）に示すように、計測した時間を表示装置１０４に表示する。更に、ＣＰＵ１０１は、操作可能な入力装置１０６ｂに対応するマークＭ12と、操作可能な入力装置１０６ｃに対応するマークＭ4と、操作可能な入力装置１０６ｄに対応するマークＭ6とを表示装置１０４に表示する。このとき、ＣＰＵ１０１は、マークＭ6の近傍に入力装置１０６ｄの機能を示す「ＳＴＡＲＴ」を表示する。その後、ステップＳ１１４の処理に進む。
【００５３】
（ステップＳ１１４）ＣＰＵ１０１は、入力装置１０６ｂが入力を受け付けたか（ＭＯＤＥボタンが押下されたか）否かを判定する。ＣＰＵ１０１は、入力装置１０６ｂが入力を受け付けたと判定した場合には、ステップＳ１０１の処理に戻る。一方、ＣＰＵ１０１は、入力装置１０６ｂが入力を受け付けていないと判定した場合には、ステップＳ１１５の処理に進む。
【００５４】
（ステップＳ１１５）ＣＰＵ１０１は、入力装置１０６ｄが入力を受け付けたか（ＭＥＡＳＵＲＥボタンが押下されたか）否かを判定する。ＣＰＵ１０１は、入力装置１０６ｄが入力を受け付けたと判定した場合には、ステップＳ１１０の処理に戻る。一方、ＣＰＵ１０１は、入力装置１０６ｄが入力を受け付けていないと判定した場合には、ステップＳ１１６の処理に進む。
【００５５】
（ステップＳ１１６）ＣＰＵ１０１は、入力装置１０６ｃが入力を受け付けたか（ＲＥＳＥＴボタンが押下されたか）否かを判定する。ＣＰＵ１０１は、入力装置１０６ｃが入力を受け付けたと判定した場合には、ステップＳ１１７の処理に進む。一方、ＣＰＵ１０１は、入力装置１０６ｃが入力を受け付けていないと判定した場合には、ステップＳ１１４の処理に戻る。
【００５６】
（ステップＳ１１７）ＣＰＵ１０１は、計測結果（計測した時間）をリセットする。その後、ステップＳ１０７の処理に戻る。
【００５７】
上述したとおり、本実施形態では、ＣＰＵ１０１は、方位表示モードではマークＭにより方位を示し、その他のモード（時刻表示モードまたは計測モード）ではマークＭにより操作可能な入力装置１０６を示している。すなわち、ＣＰＵ１０１は、他のモードでは、方位を示すためのマークＭを用いて操作可能な入力装置１０６を示す。これにより、電子時計１００のサイズを大きくすることなく操作ガイドを付加することが可能となり、多機能な電子時計１００のサイズを大きくすることなく操作性を高めることができる
【００５８】
また、上述した実施形態では、ＣＰＵ１０１は、マークＭの近傍に入力装置１０６の機能を表示しているため、入力装置１０６の機能を直感的に把握することができ、操作性を更に高めることができる。
【００５９】
なお、上述した実施形態における電子時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００６０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６１】
以上、本発明の実施形態について説明したが、本発明は、上記実施形態に限定されるものではなく、本発明の趣旨を逸脱しない範囲において種々の変更を加えることが可能である。
【００６２】
例えば、上述した実施形態では、電子時計１００は、方位表示モードではマークＭにより所定方位のみを示しているが、これに限らず、マークＭにより所定方位を示すとともに、操作可能な入力装置１０６を更に示してもよい。具体的には、ＣＰＵ１０１は、所定方位に対応する方向にあるマークＭを表示装置１０４に表示するとともに、操作可能な入力装置１０６に対応するマークＭを表示装置１０４に表示する。このとき、ＣＰＵ１０１は、所定方位を示すマークＭと操作可能な入力装置１０６を示すマークＭとを異なる表示態様で表示してもよい。
【００６３】
例えば、ＣＰＵ１０１は、一方を示すマークＭを点滅表示し、他方を示すマークを点灯表示する。具体的には、ＣＰＵ１０１は、所定方位を示すマークＭを点滅表示し、操作可能な入力装置１０６を示すマークＭを点灯表示する。または、ＣＰＵ１０１は、所定方位を示すマークＭを点灯表示し、操作可能な入力装置１０６を示すマークＭを点滅表示する。或いは、ＣＰＵ１０１は、所定方位を示すマークＭと操作可能な入力装置１０６を示すマークＭとを所定時間毎に切り替えて表示してもよい。或いは、ＣＰＵ１０１は、一方を１つのマークＭで示し、他方を複数のマークＭで示してもよい。
【００６４】
具体的には、ＣＰＵ１０１は、所定方位を１つのマークＭで示し、操作可能な入力装置１０６を複数のマークＭで示す。または、ＣＰＵ１０１は、所定方位を複数のマークＭで示し、操作可能な入力装置１０６を１つのマークＭで示す。なお、ＣＰＵ１０１は、所定方位に対応するマークＭと操作可能な入力装置１０６に対応するマークＭとが重なった（同一である）場合には、所定方向に対応するマークＭの表示を優先する。
【００６５】
また、上述した実施形態では、電子時計１００は、操作可能な入力装置１０６をマークＭで表示するとともに、当該入力装置１０６の機能をマークＭ近傍に表示しているが、これに限らず、マークＭのみを表示してもよい。この場合、電子時計１００のケースに各入力装置１０６の機能を刻印してもよい。この場合、各動作モードで割り当てられる機能をケースに複数刻印してもよい。
【符号の説明】
【００６６】
１００・・・電子時計、１０１・・・ＣＰＵ、１０２・・・ＲＯＭ、１０３・・・ＲＡＭ、１０４・・・表示装置、１０５・・・報音装置、１０６・・・入力装置、１０７・・・発振素子、１０８・・・電源、１０９・・・方位検出装置
【図１】
2015001401.tif 000003
【図２】
2015001401.tif 000004
【図３】
2015001401.tif 000005
【図４】
2015001401.tif 000006
【図５】
2015001401.tif 000007
【図６】
2015001401.tif 000008
【図７】
2015001401.tif 000009
【図８】
2015001401.tif 000010